(57)【特許請求の範囲】
【請求項１】
モータ押え部(１０)と、上記モータ押え部(１０)の外縁側に設けられ、座面の高さが少なくとも２種類以上ある取付部(１１〜１６)とを有し、上記取付部(１１〜１６)の同じ高さの座面は複数あるモータ取付具と、
モータ(３,４)が嵌め込まれた嵌合部(２２a)および上記モータ取付具(１１〜１６)の取付部(１１〜１６)を固定するためのボスが設けられたモータ取付台(２)と
を備え、
上記モータ取付具の上記取付部(１１〜１６)の同じ高さの座面の数は、上記モータ取付台(２)の上記ボスの数と同じであることを特徴とするモータ取付構造。
【請求項２】
請求項１に記載のモータ取付構造であって、
上記嵌合部(２２a)に嵌め込まれた上記モータ(３,４)を上記モータ取付具(１)のモータ押え部(１０)により上記モータ取付台(２)側に押えつけた状態で、上記モータ取付具(１)の複数の取付部(１１〜１６)のうちの座面の高さが同じ取付部(１１〜１３)を用いて上記モータ取付台(２)に上記モータ取付具(１)を固定しているか、または、上記モータ取付具(１)の複数の取付部(１１〜１６)のうちの他の座面の高さが同じ取付部(１４〜１６)を用いて上記モータ取付台(２)に上記モータ取付具(１)を固定していることを特徴とするモータ取付構造。
【発明の詳細な説明】
【０００１】
【発明の属する技術分野】
この発明は、モータ取付具を用いたモータ取付構造に関する。
【０００２】
【従来の技術】
従来、モータ取付具を用いたモータ取付構造としては、ファンケースのモータ取付部とモータ取付具との間にモータを押圧して固定するものがある(例えば、特許文献１参照)。
【０００３】
【特許文献１】
実開平７−１８１３８号公報
【０００４】
【発明が解決しようとする課題】
ところが、上記モータ取付具を用いたモータ取付構造では、ファンの送風能力が異なるだけの構成の装置において、使用するモータの軸方向の寸法が異なる場合、それぞれのモータに応じてモータ取付具を別々に用意しなければならないという欠点がある。
【０００５】
そこで、この発明の目的は、少なくとも２種類以上の寸法の異なるモータを確実に取り付けることが可能なモータ取付具を用いたモータ取付構造を提供することにある。
【０００６】
【課題を解決するための手段】
【０００７】
【０００８】
上記目的を達成するため、請求項１のモータ取付構造は、
モータ押え部と、上記モータ押え部の外縁側に設けられ、座面の高さが少なくとも２種類以上ある取付部とを有し、上記取付部の同じ高さの座面は複数あるモータ取付具と、
モータが嵌め込まれた嵌合部および上記モータ取付具の取付部を固定するためのボスが設けられたモータ取付台と
を備え、
上記モータ取付具の上記取付部の同じ高さの座面の数は、上記モータ取付台の上記ボスの数と同じであることを特徴としている。
【０００９】
上記請求項１のモータ取付構造によれば、上記モータ取付具のモータ押え部の外縁側に設けられた取付部の座面の高さが少なくとも２種類以上あるので、このモータ取付具を用いて高さ(軸方向の寸法)の異なるモータをモータ取付台に取り付けることが可能となる。また、上記取付部の同じ高さの座面は複数あり、モータ取付具の取付部の同じ高さの座面の数は、モータ取付台のボスの数と同じであるので、このモータ取付具を複数の取付部による複数の点でモータ取付台に確実に固定することが可能となる。したがって、座面の高さが少なくとも２種類以上ある取付部を備えた上記モータ取付具を用いることによって、少なくとも２種類以上の寸法の異なるモータを確実に取り付けることが可能なモータ取付構造を実現できる。
また、請求項２のモータ取付構造は、
上記嵌合部に嵌め込まれた上記モータを上記モータ取付具のモータ押え部により上記モータ取付台側に押えつけた状態で、上記モータ取付具の複数の取付部のうちの座面の高さが同じ取付部を用いて上記モータ取付台に上記モータ取付具を固定しているか、または、上記モータ取付具の複数の取付部のうちの他の座面の高さが同じ取付部を用いて上記モータ取付台に上記モータ取付具を固定している。
【００１０】
【発明の実施の形態】
以下、この発明のモータ取付構造を図示の実施の形態により詳細に説明する。
【００１１】
図１はこの発明の実施の一形態のモータ取付具１の斜視図であり、１０は中心に円穴１０aが設けられた円板形状のモータ押え部、１１,１２,１３は上記モータ押え部１０の外縁側に周方向に略１２０°毎に間隔をあけて設けられた３つの第１取付部、１４,１５,１６は上記モータ押え部１０の外縁側に周方向に略１２０°毎に間隔をあけて設けられた３つの第２取付部である。上記第２取付部１４は、モータ押え部１０の外縁側の第１取付部１１に対向する位置に設けられ、第２取付部１５は、モータ押え部１０の外縁側の第１取付部１２に対向する位置に設けられ、第２取付部１６は、モータ押え部１０の外縁側の第１取付部１３に対向する位置に設けられている。なお、このモータ取付具１の材料は、金属であっても樹脂であってもよい。
【００１２】
上記第１取付部１１は、押え部１０の外縁から半径方向外側に向かって延びる基部１１aと、その基部１１aの先端から略直角方向(図１において上方)に折れ曲がる屈曲部１１bと、その屈曲部１１bの先端から半径方向外側に向かって延びる先端部１１cとを有している。上記先端部１１cに穴１７を設けている。また、他の第１取付部１２,１３も同様の構成をしており、３つの第１取付部１１,１２,１３の座面(図１の先端部１１cの下面)は、円板形状の押え部１０の軸方向に対して同一の高さを有している。
【００１３】
一方、上記第２取付部１４は、押え部１０の外縁から半径方向外側に向かって延びる基部１４aと、その基部１４aの先端から略直角方向(図１において下方)に折れ曲がる屈曲部１４bと、その屈曲部１４bの先端から半径方向外側に向かって延びる先端部１４cとを有している。上記先端部１４cに穴１８を設けている。また、他の第２取付部１５,１６も同様の構成をしており、３つの第２取付部１４,１５,１６の座面(図１の先端部１４cの下面)は、円板形状のモータ押え部１０の軸方向に対して同一の高さを有している。
【００１４】
また、図２は上記モータ取付具１を用いてモータを取り付けるモータ取付台２の斜視図を示しており、このモータ取付台２はケーシング２０の要部に設けられている。
【００１５】
図２に示すように、上記モータ取付台２は、ケーシング２０から立設された大径の円筒部２１と、その円筒部２１の内側にケーシング２０から立設された小径の円筒部２２と、上記小径の円筒部２２の外周から半径方向外向に延びるように設けられた３つのリブ２３Ａ,２３Ｂ,２３Ｃと、そのリブ２３Ａ,２３Ｂ,２３Ｃの夫々に、大径の円筒部２１と小径の円筒部２２との間の位置するように立設されたボス２４Ａ,２４Ｂ,２４Ｃとを有している。上記ボス２４Ａ,２４Ｂ,２４Ｃの先端に夫々ネジ穴２５を設けている。上記３つのボス２４Ａ,２４Ｂ,２４Ｃおよび小径の円筒部２２の内側の穴２２aで嵌合部を構成している。
【００１６】
図３は軸方向の寸法が短い方の第１のモータの概略斜視図を示しており、図４は軸方向の寸法が長い方の第２のモータの概略斜視図を示している。
【００１７】
図３に示す第１のモータ３は、円筒形状の本体部３０と、その本体部３０の一端に設けられた円形の凸部３１と、その凸部３１の中心から突出する軸部３２と、上記本体部３０の他端に設けられたゴム等の弾性部材からなる凸部３３とを備えている。上記本体部３０の軸方向の寸法はＨ１、軸部３２の軸方向の寸法はＨ２とする。
【００１８】
一方、図４に示す第２のモータ４は、円筒形状の本体部４０と、その本体部４０の一端に設けられた円形の凸部４１と、その凸部４１の中心から突出する軸部４２と、上記本体部３０の他端に設けられたゴム等の弾性部材からなる凸部(図示せず)とを備えている。上記本体部４０の軸方向の寸法はＨ１１、軸部４２の軸方向の寸法はＨ１２とする。
【００１９】
ここで、図３に示す第１のモータ３において、
ＨＡ  ＝  Ｈ１＋Ｈ２
とし、図４に示す第２のモータ４において、
ＨＢ  ＝  Ｈ１１＋Ｈ１２
とするとき、
Ｈ１２  ＜  Ｈ２
ＨＡ  ＝  ＨＢ
としている。
【００２０】
次に、上記モータ取付台２にモータ取付具１を用いて図３,図４に示すモータを取り付ける場合について説明する。
【００２１】
まず、図３に示す第１のモータ３を取り付ける場合、図２に示すモータ取付台２の小径の円筒部２２の穴２２aに第１のモータ３の弾性部材からなる凸部３３が嵌め込まれるように、モータ取付台２の３つのボス２４Ａ,２４Ｂ,２４Ｃの内側に第１のモータ３の本体部３０配置する。そうして、第１のモータ３の凸部３１がモータ押え部１０の円穴１０aに嵌め込まれるようにして、第１のモータ３の軸部３２が突出する側を図１に示すモータ取付具１の円板形状のモータ押え部１０によりモータ取付台２側に押えつけた状態で、モータ取付具１の第１取付部１１,１２,１３の穴１７を用いてモータ取付台２のボス２４Ａ,２４Ｂ,２４Ｃにモータ取付具１をビス(図示せず)で固定する。
【００２２】
この場合、モータ取付具１の第１取付部１１,１２,１３の同一高さの座面は、円板形状のモータ押え部１０よりも軸方向に対して高い位置にあるので、第１のモータ３の本体部３０の高さＨ１がモータ取付台２のボス２４Ａ,２４Ｂ,２４Ｃの高さよりも低くても第１のモータ３を確実にモータ取付台２に固定することができる。
【００２３】
一方、図４に示す第２のモータ４を取り付ける場合、図２に示すモータ取付台２の小径の円筒部２２の穴２２aに第２のモータ４の弾性部材からなる凸部(図示せず)が嵌め込まれるように、モータ取付台２のボス２４Ａ,２４Ｂ,２４Ｃの内側に第２のモータ４の本体部４０配置する。そうして、第２のモータ４の凸部４１がモータ押え部１０の円穴１０aに嵌め込まれるようにして、第２のモータ４の軸部４２が突出する側を図１に示すモータ取付具１の円板形状のモータ押え部１０によりモータ取付台２側に押えつけた状態で、モータ取付具１の第２取付部１４,１５,１６の穴１８を用いてモータ取付台２のボス２４Ａ,２４Ｂ,２４Ｃにモータ取付具１をビス(図示せず)で固定する。
【００２４】
この場合、モータ取付具１の第２取付部１４,１５,１６の同一高さの座面は、円板形状のモータ押え部１０よりも軸方向に対して低い位置にあるので、第２のモータ４の本体部４０の高さＨ１１がモータ取付台２のボス２４Ａ,２４Ｂ,２４Ｃの高さよりも高くても第２のモータ４を確実にモータ取付台２に固定することができる。
【００２５】
このように、上記実施の形態のモータ取付具１およびそれを用いたモータ取付構造によれば、２種類の軸方向の寸法が異なる第１,第２のモータ３,４を取り付けることができる。
【００２６】
上記実施の形態では、モータ押え部１０の外縁側に第１,第２取付部１１〜１６を設けて、取付部の座面の高さを２種類としたモータ取付具１について説明したが、モータ押え部の外縁側に設けられた取付部は、座面の高さが少なくとも２種類以上あればよい。
【００２７】
また、上記実施の形態では、取付部の同じ高さの座面は３つとしたが、取付部の同じ高さの座面は２または４以上であってもよい。また、取付部を用いてモータ取付具をモータ取付台に固定する方法はビスに限らず、他の固定方法であってもよい。
【００２８】
また、上記実施の形態では、３つのボス２４Ａ,２４Ｂ,２４Ｃおよび小径の円筒部２２の内側の穴２２aで嵌合部を構成したが、モータが嵌め込まれる嵌合部はこれに限らず、他の形状の嵌合部でもよい。
【００２９】
【発明の効果】
【００３０】
【００３１】
以上より明らかなように、請求項１の発明のモータ取付構造は、モータ押え部と、そのモータ押え部の外縁側に設けられ、座面の高さが少なくとも２種類以上ある取付部とを備え、取付部の同じ高さの座面は複数あるモータ取付具を用いたモータ取付構造であって、モータが嵌め込まれた嵌合部およびモータ取付具の取付部を固定するためのボスが設けられたモータ取付台を備え、上記モータ取付具の取付部の同じ高さの座面の数は、モータ取付台のボスの数と同じものである。
【００３２】
したがって、請求項１の発明のモータ取付構造によれば、少なくとも２種類以上の寸法の異なるモータを確実に取り付けることができる。
【図面の簡単な説明】
【図１】  図１はこの発明の実施の一形態のモータ取付具の斜視図である。
【図２】  図２は上記モータ取付具を用いてモータを取り付けるモータ取付台の斜視図である。
【図３】  図３は軸方向の寸法が短い方の第１のモータの概略斜視図である。
【図４】  図４は軸方向の寸法が長い方の第２のモータの概略斜視図である。
【符号の説明】
１…モータ取付具、
２…モータ取付台、
３…第１のモータ、
４…第２のモータ、
１０…モータ押え部、
１０a…円穴、
１１,１２,１３…第１取付部、
１１a,１４a…基部、
１１b,１４b…屈曲部、
１１c,１４c…先端部、
１４,１５,１６…第２取付部、
１７,１８…穴、
２０…ケーシング、
２１…大径の円筒部、
２２…小径の円筒部、
２３Ａ,２３Ｂ,２３Ｃ…リブ、
２４Ａ,２４Ｂ,２４Ｃ…ボス、
２５…ネジ穴。
【図１】
0004370815.tif 000002
【図２】
0004370815.tif 000003
【図３】
0004370815.tif 000004
【図４】
0004370815.tif 000005